(57)【要約】【課題】処理画像と元画像とを交互に切り替えて表示する際の操作性を向上させる。【解決手段】元画像と、当該元画像に対して骨によって識別できない病変を識別できるように画像処理した処理画像と、を表示する画像表示装置において、表示部に元画像が表示された状態で、マウスホイールの手前側への回転が検出された場合には（ステップＳ６；ＹＥＳ）、表示部に表示されている元画像に対応する処理画像を表示し（ステップＳ７）、表示部に処理画像が表示された状態で、マウスホイールの手前側への回転が検出された場合には（ステップＳ９；ＹＥＳ）、表示部に表示されている処理画像に対応する元画像を表示する（ステップＳ１０）。【選択図】図１０
2015100426.tif 000002
【特許請求の範囲】
【請求項１】
元画像と、当該元画像に対して骨によって識別できない病変を識別できるように画像処理した処理画像と、を表示する表示手段と、
ユーザーによる操作を受け付ける操作手段と、
前記表示手段に前記元画像が表示された状態で前記操作手段における一の操作が検出された場合に、前記表示手段の表示を前記処理画像に切り替え、前記表示手段に前記処理画像が表示された状態で前記操作手段における前記一の操作が検出された場合に、前記表示手段の表示を前記元画像に切り替える制御手段と、
を備える画像表示装置。
【請求項２】
前記一の操作は、前記操作手段に備えられたマウスホイールの一方向の回転、又は、前記操作手段に備えられた所定のキーの押下である請求項１に記載の画像表示装置。
【請求項３】
元画像と、当該元画像に対して骨によって識別できない病変を識別できるように画像処理した処理画像と、を表示する表示手段と、
前記表示手段に前記元画像が表示された状態で所定の時間が経過した場合に、前記表示手段の表示を前記処理画像に切り替え、前記表示手段に前記処理画像が表示された状態で前記所定の時間が経過した場合に、前記表示手段の表示を前記元画像に切り替える制御手段と、
を備える画像表示装置。
【請求項４】
元画像と、当該元画像に対して骨によって識別できない病変を識別できるように画像処理した処理画像と、を表示する表示手段と、ユーザーによる操作を受け付ける操作手段と、を備える画像表示装置における画像表示方法であって、
前記表示手段に前記元画像が表示された状態で前記操作手段における一の操作が検出された場合に、前記表示手段の表示を前記処理画像に切り替える工程と、
前記表示手段に前記処理画像が表示された状態で前記操作手段における前記一の操作が検出された場合に、前記表示手段の表示を前記元画像に切り替える工程と、
を含む画像表示方法。
【請求項５】
元画像と、当該元画像に対して骨によって識別できない病変を識別できるように画像処理した処理画像と、を表示する表示手段を備える画像表示装置における画像表示方法であって、
前記表示手段に前記元画像が表示された状態で所定の時間が経過した場合に、前記表示手段の表示を前記処理画像に切り替える工程と、
前記表示手段に前記処理画像が表示された状態で前記所定の時間が経過した場合に、前記表示手段の表示を前記元画像に切り替える工程と、
を含む画像表示方法。
【発明の詳細な説明】
【技術分野】
【０００１】
本発明は、画像表示装置及び画像表示方法に関する。
【背景技術】
【０００２】
近年、医療の分野では、ＣＲ（Computed Radiography）、ＤＲ（Digital Radiography）、ＣＴ（Computed Tomography）等、医用画像のデジタル化が進んでいる。医用画像内において骨組織と病変とが重なっていると、病変を見落とす可能性があるため、医用画像に対して骨組織を減弱させる画像処理（Bone Suppression）を施す技術が開発されている（特許文献１参照）。読影医は、医用画像から骨組織を減弱させた処理画像を元画像と比較することにより、元画像では骨に隠れて見落とすおそれがあった病変を発見しやすくなる。
【０００３】
ＣＴ画像等、１シリーズに複数の画像が含まれる場合には、複数の医用画像を重ねて表示させ、ユーザーの操作に応じて順にめくるように画像を切り替える表示方法が用いられている（スタック表示）。一連の医用画像の中で先頭画像と末尾画像とを混同することがないように、例えば、マウスホイールで操作する場合には、手前側への回転を、先頭画像から末尾画像に向けて画像を後ろへ順に切り替えるための操作に割り当て、奥側への回転を、末尾画像から先頭画像に向けて画像を前へ順に切り替えるための操作に割り当てている。マウスホイールを一方向に（手前側に転がすように）回転させて、先頭画像から末尾画像まで移動させた場合には、マウスホイールを逆方向に（奥側に転がすように）回転させることで、末尾画像から先頭画像に向けて画像を戻すことができる。同様に、キーボード上の矢印キー等の二つのキーの押下を、先頭画像から末尾画像に向けて画像を後ろへ順に切り替えるための操作と、末尾画像から先頭画像に向けて画像を前へ順に切り替えるための操作と、に割り当てることも可能である。
【０００４】
元画像に対して骨によって識別できない病変を識別できるように画像処理した処理画像を用いて診断を行う際には、処理画像と元画像の２枚の画像を画面の同じ位置に交互に表示させることで、診断対象部位における病変の有無を確認している。
【先行技術文献】
【特許文献】
【０００５】
【特許文献１】特表２０１２−５２３８８９号公報
【発明の概要】
【発明が解決しようとする課題】
【０００６】
しかしながら、従来においては、処理画像と元画像との切り替えについても、ＣＴ画像のスタック表示における画像の切り替え操作を流用していたため、処理画像から元画像に切り替える場合と、元画像から処理画像に切り替える場合と、に対して、それぞれ異なる操作が割り当てられていた。したがって、処理画像と元画像とを交互に表示する際に、２種類の操作をしなければならず、操作性が悪かった。
【０００７】
本発明は、上記の従来技術における問題に鑑みてなされたものであって、処理画像と元画像とを交互に切り替えて表示する際の操作性を向上させることを課題とする。
【課題を解決するための手段】
【０００８】
上記課題を解決するために、請求項１に記載の発明は、元画像と、当該元画像に対して骨によって識別できない病変を識別できるように画像処理した処理画像と、を表示する表示手段と、ユーザーによる操作を受け付ける操作手段と、前記表示手段に前記元画像が表示された状態で前記操作手段における一の操作が検出された場合に、前記表示手段の表示を前記処理画像に切り替え、前記表示手段に前記処理画像が表示された状態で前記操作手段における前記一の操作が検出された場合に、前記表示手段の表示を前記元画像に切り替える制御手段と、を備える画像表示装置である。
【０００９】
請求項２に記載の発明は、請求項１に記載の画像表示装置において、前記一の操作は、前記操作手段に備えられたマウスホイールの一方向の回転、又は、前記操作手段に備えられた所定のキーの押下である。
【００１０】
請求項３に記載の発明は、元画像と、当該元画像に対して骨によって識別できない病変を識別できるように画像処理した処理画像と、を表示する表示手段と、前記表示手段に前記元画像が表示された状態で所定の時間が経過した場合に、前記表示手段の表示を前記処理画像に切り替え、前記表示手段に前記処理画像が表示された状態で前記所定の時間が経過した場合に、前記表示手段の表示を前記元画像に切り替える制御手段と、を備える画像表示装置である。
【００１１】
請求項４に記載の発明は、元画像と、当該元画像に対して骨によって識別できない病変を識別できるように画像処理した処理画像と、を表示する表示手段と、ユーザーによる操作を受け付ける操作手段と、を備える画像表示装置における画像表示方法であって、前記表示手段に前記元画像が表示された状態で前記操作手段における一の操作が検出された場合に、前記表示手段の表示を前記処理画像に切り替える工程と、前記表示手段に前記処理画像が表示された状態で前記操作手段における前記一の操作が検出された場合に、前記表示手段の表示を前記元画像に切り替える工程と、を含む。
【００１２】
請求項５に記載の発明は、元画像と、当該元画像に対して骨によって識別できない病変を識別できるように画像処理した処理画像と、を表示する表示手段を備える画像表示装置における画像表示方法であって、前記表示手段に前記元画像が表示された状態で所定の時間が経過した場合に、前記表示手段の表示を前記処理画像に切り替える工程と、前記表示手段に前記処理画像が表示された状態で前記所定の時間が経過した場合に、前記表示手段の表示を前記元画像に切り替える工程と、を含む。
【発明の効果】
【００１３】
本発明によれば、処理画像と元画像とを交互に切り替えて表示する際の操作性を向上させることができる。
【図面の簡単な説明】
【００１４】
【図１】本発明の第１の実施の形態における医用画像システムのシステム構成図である。
【図２】画像サーバーの機能的構成を示すブロック図である。
【図３】患者情報テーブルの例である。
【図４】検査情報テーブルの例である。
【図５】シリーズ情報テーブルの例である。
【図６】画像情報テーブルの例である。
【図７】クライアント端末の機能的構成を示すブロック図である。
【図８】マウスの外観構成を示す斜視図である。
【図９】第１の実施の形態における第１の医用画像表示処理を示すフローチャートである。
【図１０】第１の実施の形態における第１の医用画像表示処理を示すフローチャートである。
【図１１】元画像が表示されたビューアー画面の例を示す図である。
【図１２】処理画像が表示されたビューアー画面の例を示す図である。
【図１３】第２の実施の形態における第２の医用画像表示処理を示すフローチャートである。
【図１４】拡大／縮小モードがＯＦＦの場合のビューアー画面の例を示す図である。
【図１５】拡大／縮小モードがＯＮの場合のビューアー画面の例を示す図である。
【図１６】第３の実施の形態における第３の医用画像表示処理を示すフローチャートである。
【図１７】第３の実施の形態における第３の医用画像表示処理を示すフローチャートである。
【発明を実施するための形態】
【００１５】
［第１の実施の形態］
まず、本発明の第１の実施の形態について説明する。
図１に、第１の実施の形態における医用画像システム１００のシステム構成を示す。図１に示すように、医用画像システム１００は、画像サーバー１０と、画像表示装置としてのクライアント端末２０と、モダリティー３０とが、ＬＡＮ（Local Area Network）等の通信ネットワークＮを介してデータ通信可能に接続されて構成されている。通信ネットワークＮは、ＤＩＣＯＭ（Digital Imaging and Communications in Medicine）規格が適用されている。
【００１６】
画像サーバー１０は、ＰＡＣＳ（Picture Archiving and Communication System：医療用画像保管・転送システム）により構成され、各種モダリティー３０により生成された医用画像の画像データ等を保存し、クライアント端末２０等の外部装置からの要求に応じて医用画像の画像データ等を提供する。
【００１７】
図２に、画像サーバー１０の機能的構成を示す。図２に示すように、画像サーバー１０は、ＣＰＵ（Central Processing Unit）１１、操作部１２、表示部１３、通信部１４、ＲＯＭ（Read Only Memory）１５、ＲＡＭ（Random Access Memory）１６、記憶部１７を備えて構成され、各部はバス１８により接続されている。
【００１８】
ＣＰＵ１１は、画像サーバー１０の各部の処理動作を統括的に制御する。具体的には、ＣＰＵ１１は、操作部１２から入力される操作信号又は通信部１４により受信される指示信号に応じて、ＲＯＭ１５に記憶されている各種処理プログラムを読み出し、ＲＡＭ１６内に形成されたワークエリアに展開し、当該プログラムとの協働により各種処理を行う。
【００１９】
操作部１２は、カーソルキー、数字入力キー及び各種機能キー等を備えたキーボードと、マウス等のポインティングデバイスを備えて構成され、キーボードに対するキー操作やマウス操作により入力された操作信号をＣＰＵ１１に出力する。
【００２０】
表示部１３は、ＬＣＤ（Liquid Crystal Display）により構成され、ＣＰＵ１１から入力される表示データに基づいて各種画面を表示する。
【００２１】
通信部１４は、クライアント端末２０等の外部装置との間でデータの送受信を行うインターフェースである。
【００２２】
ＲＯＭ１５は、不揮発性の半導体メモリー等により構成され、制御プログラム、当該プログラムの実行に必要なパラメーターやファイル等を記憶している。
【００２３】
ＲＡＭ１６は、ＣＰＵ１１により実行制御される各種処理において、ＲＯＭ１５から読み出された各種プログラム、入力若しくは出力データ及びパラメーター等を一時的に記憶するワークエリアを形成する。
【００２４】
記憶部１７は、ハードディスク等により構成され、各種データを記憶する。具体的に、記憶部１７には、複数の医用画像の画像データが記憶されている。複数の医用画像には、元画像と、当該元画像に対して骨によって識別できない病変を識別できるように画像処理した処理画像と、が含まれる。
【００２５】
処理画像は、医用画像に対して骨組織を減弱させる骨減弱処理（Bone Suppression）を施した画像である。骨減弱処理は、例えば、医用画像から骨組織を抽出し、医用画像から抽出された骨組織を減弱させる処理であって、骨組織以外の組織の明瞭度を向上させることを目的として行われる。骨減弱処理については、公知の方法を用いることができる。
【００２６】
また、記憶部１７には、医用画像の付帯情報を管理するための患者情報テーブル１７１、検査情報テーブル１７２、シリーズ情報テーブル１７３、画像情報テーブル１７４が記憶されている。
【００２７】
患者情報テーブル１７１は、患者単位でデータを管理するためのテーブルである。患者情報テーブル１７１には、図３に示すように、患者ＬＩＤ（Link Identification）毎に、患者の氏名、生年月日等が対応付けられて格納されている。
患者ＬＩＤは、患者毎の識別情報である。
【００２８】
検査情報テーブル１７２は、検査単位でデータを管理するためのテーブルである。検査情報テーブル１７２には、図４に示すように、検査ＬＩＤ毎に、患者ＬＩＤ、検査日時等が対応付けられて格納されている。
検査ＬＩＤは、検査毎の識別情報である。
検査情報テーブル１７２内の患者ＬＩＤは、患者情報テーブル１７１の患者ＬＩＤとリンクしており、各検査がいずれの患者に属するものであるかを示している。
【００２９】
シリーズ情報テーブル１７３は、シリーズ単位でデータを管理するためのテーブルである。シリーズ情報テーブル１７３には、図５に示すように、シリーズＬＩＤ毎に、検査ＬＩＤ、画像枚数、モダリティー、検査部位等が対応付けられて格納されている。
シリーズＬＩＤは、シリーズ毎の識別情報であり、シリーズ情報テーブル１７３内で連番となっている。
シリーズ情報テーブル１７３内の検査ＬＩＤは、検査情報テーブル１７２の検査ＬＩＤとリンクしており、各シリーズがいずれの検査に属するものであるかを示している。
画像枚数は、対応するシリーズＬＩＤにより管理される医用画像の枚数である。
モダリティーは、撮影に用いられた画像生成装置の種類である。
検査部位は、撮影された患者の部位・方向を示す情報である。
【００３０】
図５の例では、シリーズＬＩＤ「５」に対して、画像枚数「２０」、モダリティー「ＣＴ」、検査部位「腹部横断面」等が対応付けられており、シリーズＬＩＤ「６」に対して、画像枚数「２」、モダリティー「ＣＲ」、検査部位「胸部正面」等が対応付けられている。
【００３１】
画像情報テーブル１７４は、画像単位でデータを管理するためのテーブルである。画像情報テーブル１７４には、図６に示すように、画像ＬＩＤ毎に、シリーズＬＩＤ、フレーム番号、画像タイプ、ファイルパス等が対応付けられて格納されている。
画像ＬＩＤは、画像毎の識別情報であり、画像情報テーブル１７４内で連番となっている。
画像情報テーブル１７４内のシリーズＬＩＤは、シリーズ情報テーブル１７３のシリーズＬＩＤとリンクしており、各画像がいずれのシリーズに属するものであるかを示している。
フレーム番号は、シリーズ内で連番となるよう採番された番号である。
画像タイプには、該当するレコードの画像が特記画像である場合に、特記画像であることを示す情報が格納される。具体的には、該当するレコードの画像が処理画像である場合には「１００」が格納され、特記画像以外である場合には「Ｎｕｌｌ」が格納される。
ファイルパスは、該当するレコードの画像が格納されている場所を示す情報である。
【００３２】
図６の例では、画像ＬＩＤ「７」〜「２６」に対して、シリーズＬＩＤ「５」、フレーム番号「１」〜「２０」、画像タイプ「Ｎｕｌｌ」、ファイルパス等が対応付けられている。画像ＬＩＤ「７」〜「２６」に対応する画像は、それぞれ、ＣＴにより生成された一連の腹部横断面画像２０枚のうちの１枚の画像である（図５参照）。
【００３３】
また、画像ＬＩＤ「２７」に対して、シリーズＬＩＤ「６」、フレーム番号「１」、画像タイプ「Ｎｕｌｌ」、ファイルパス等が対応付けられている。画像ＬＩＤ「２７」に対応する画像は、ＣＲにより生成された胸部正面画像である（図５参照）。
また、画像ＬＩＤ「２８」に対して、シリーズＬＩＤ「６」、フレーム番号「１」、画像タイプ「１００」、ファイルパス等が対応付けられている。画像タイプが「１００」であることから、画像ＬＩＤ「２８」に対応する画像は処理画像であると判断できる。また、画像情報テーブル１７４内で画像ＬＩＤ「２８」と同一のシリーズＬＩＤ「６」が対応付けられている画像ＬＩＤ「２７」に対応する画像が、画像ＬＩＤ「２８」の処理画像に対応する元画像であると判断できる。
【００３４】
なお、本実施の形態では、処理画像の管理において、便宜上、元画像と共通のシリーズＬＩＤを用いているが、元画像と処理画像とは同じシリーズというわけではないので（単に２枚のＣＲ画像が存在しているだけ）、画像ＬＩＤ「２７」の画像と画像ＬＩＤ「２８」の画像のフレーム番号は連番とならず、それぞれ「１」が格納されている。
【００３５】
ＣＰＵ１１は、通信部１４を介して、モダリティー３０からＤＩＣＯＭ規格に則った医用画像の画像ファイルを取得する。画像ファイルは、医用画像の画像データとヘッダーとから構成される。ヘッダーには、医用画像に関する付帯情報が格納されている。ＣＰＵ１１は、モダリティー３０から取得した画像ファイルを、医用画像の画像データ（ＲＡＷデータ）と、医用画像に関する付帯情報と、に分けて管理する。
【００３６】
ＣＰＵ１１は、クライアント端末２０から医用画像の画像データ又は医用画像に関する付帯情報の取得要求があった場合に、要求された医用画像の画像データ又は付帯情報を記憶部１７から読み出し、クライアント端末２０に送信する。
【００３７】
クライアント端末２０は、画像サーバー１０から取得した医用画像の画像データに基づいて医用画像を表示させ、当該医用画像の読影を行うための装置であって、ＰＣ（Personal Computer）等から構成される。
【００３８】
図７に、クライアント端末２０の機能的構成を示す。図７に示すように、クライアント端末２０は、ＣＰＵ２１、操作部２２、表示部２３、通信部２４、ＲＯＭ２５、ＲＡＭ２６、記憶部２７、計時部２８を備え、各部はバス２９により接続されている。
【００３９】
ＣＰＵ２１は、クライアント端末２０の各部の処理動作を統括的に制御する。具体的には、ＣＰＵ２１は、操作部２２から入力される操作信号又は通信部２４により受信される指示信号に応じて、ＲＯＭ２５に記憶されている各種処理プログラムを読み出し、ＲＡＭ２６内に形成されたワークエリアに展開し、当該プログラムとの協働により各種処理を行う。
【００４０】
操作部２２は、ユーザーによる操作指示を受け付ける機能部である。操作部２２は、カーソルキー、数字入力キー及び各種機能キー等を備えたキーボードと、図８に示すマウス２２ａと、を備えて構成され、キーボードに対するキー操作やマウス操作により入力された操作信号をＣＰＵ２１に出力する。マウス２２ａには、左ボタン２２ｂ、右ボタン２２ｃ、マウスホイール２２ｄが備えられている。マウスホイール２２ｄは、回転可能な円盤状の入力装置であり、マウスホイール２２ｄに指を添えて手前側に動かす方向（図８に示す矢印Ｘ方向）と、奥側に動かす方向（図８に示す矢印Ｘ方向と逆方向）と、の２方向に回転させることが可能である。
【００４１】
表示部２３は、ＬＣＤにより構成される高精細モニター装置であり、ＣＰＵ２１から入力される表示データに基づいて各種画面を表示する。例えば、表示部２３は、読影対象となる医用画像を表示する。
【００４２】
通信部２４は、画像サーバー１０等の外部装置との間でデータの送受信を行うインターフェースである。
【００４３】
ＲＯＭ２５は、不揮発性の半導体メモリー等により構成され、制御プログラム、当該プログラムの実行に必要なパラメーターやファイル等を記憶している。
【００４４】
ＲＡＭ２６は、ＣＰＵ２１により実行制御される各種処理において、ＲＯＭ２５から読み出された各種プログラム、入力若しくは出力データ及びパラメーター等を一時的に記憶するワークエリアを形成する。具体的には、ＲＡＭ２６には、画像サーバー１０から取得した画像データ等が記憶される。
【００４５】
記憶部２７は、ハードディスク等により構成され、各種データを記憶する。
【００４６】
計時部２８は、表示部２３における医用画像の表示が切り替わってからの経過時間をカウントするものである。
【００４７】
ＣＰＵ２１は、通信部２４を介して、画像サーバー１０に対して、記憶部１７に記憶されている医用画像の画像データ又は医用画像に関する付帯情報の取得要求を送信し、画像サーバー１０から医用画像の画像データ又は付帯情報を取得する。
【００４８】
ＣＰＵ２１は、表示部２３に元画像が表示された状態で操作部２２におけるマウスホイール２２ｄのＸ方向（図８参照）の回転（一の操作）が検出された場合に、表示部２３の表示を処理画像に切り替え、表示部２３に処理画像が表示された状態で操作部２２におけるマウスホイール２２ｄのＸ方向の回転が検出された場合に、表示部２３の表示を元画像に切り替える。
【００４９】
モダリティー３０は、患者の診断対象部位を被写体として撮影を行い、撮影した画像をデジタル変換して医用画像を生成する。モダリティー３０は、例えば、ＣＲ、ＤＲ、ＣＴ等によって構成される。モダリティー３０は、ＤＩＣＯＭ規格に則って、患者情報、検査情報等の付帯情報を医用画像の画像ファイルのヘッダーに書き込むことにより、医用画像に付帯情報を付帯させる。
【００５０】
次に、第１の実施の形態における動作について説明する。
図９及び図１０は、クライアント端末２０において実行される第１の医用画像表示処理を示すフローチャートである。この処理は、ＣＰＵ２１とＲＯＭ２５に記憶されているプログラムとの協働によるソフトウェア処理によって実現される。
【００５１】
まず、ユーザー（読影医）による操作部２２からの操作により、読影対象となる患者が選択され（ステップＳ１）、ＣＰＵ２１により、画像サーバー１０に対して、選択された患者に対応する医用画像の画像データの取得要求が通信部２４を介して送信される。
【００５２】
画像サーバー１０では、通信部１４により医用画像の画像データの取得要求が受信されると、ＣＰＵ１１により、当該取得要求に応じた医用画像の画像データが記憶部１７から読み出される。具体的には、ＣＰＵ１１により、クライアント端末２０において選択された患者の患者ＬＩＤに対応する検査ＬＩＤが検査情報テーブル１７２から取得され、取得された検査ＬＩＤに対応するシリーズＬＩＤがシリーズ情報テーブル１７３から取得され、取得されたシリーズＬＩＤに対応する医用画像の画像ＬＩＤ及びファイルパスが画像情報テーブル１７４から取得される。そして、ＣＰＵ１１により、取得されたファイルパスに基づいて、医用画像の画像データが記憶部１７から読み出され、読み出された医用画像の画像データと画像ＬＩＤとが対応付けられて、通信部１４を介してクライアント端末２０に送信される。
【００５３】
クライアント端末２０では、ＣＰＵ２１により、画像サーバー１０から、通信部２４を介して医用画像の画像データ及び画像ＬＩＤが取得される。取得された医用画像の画像データ及び画像ＬＩＤは、ＣＰＵ２１により、ＲＡＭ２６に格納される。
【００５４】
次に、ＣＰＵ２１により、取得された医用画像の画像データに基づいて、表示部２３にビューアー画面が表示される（ステップＳ２）。
【００５５】
図１１に、ビューアー画面２３１の例を示す。ビューアー画面２３１には、サムネイル画像表示領域Ａ１、選択画像表示領域Ａ２等が含まれる。サムネイル画像表示領域Ａ１には、ステップＳ１において選択された患者のサムネイル画像が表示される。選択画像表示領域Ａ２には、サムネイル画像表示領域Ａ１に表示されているサムネイル画像の中から読影対象として選択された医用画像が表示される。
【００５６】
次に、ユーザーによる操作部２２からの操作により、ビューアー画面２３１のサムネイル画像表示領域Ａ１に表示されているサムネイル画像の中から、読影対象としていずれか一の医用画像が選択されると（ステップＳ３）、ＣＰＵ２１により、選択された医用画像が選択画像表示領域Ａ２に表示される（ステップＳ４）。
図１１に示すビューアー画面２３１の選択画像表示領域Ａ２には、胸部正面画像の元画像（骨減弱処理を行う前の医用画像）が表示されている。
【００５７】
次に、図１０に移り、ＣＰＵ２１により、選択された医用画像に対応する処理画像が存在するか否か、すなわち、選択された医用画像が元画像であるか否かが判断される（ステップＳ５）。
【００５８】
具体的には、ＣＰＵ２１により、画像サーバー１０に対して、選択された医用画像の画像ＬＩＤとともに、選択された医用画像に対応する処理画像が存在するか否かの問い合わせが通信部２４を介して送信される。
画像サーバー１０では、通信部１４により選択された医用画像の画像ＬＩＤ、及び、選択された医用画像に対応する処理画像が存在するか否かの問い合わせが受信されると、ＣＰＵ１１により、画像情報テーブル１７４において、「シリーズＬＩＤ」が「選択された医用画像の画像ＬＩＤに対応付けられているシリーズＬＩＤ」と同一であって「画像タイプ」が「１００」であるレコードが存在するか否かが判断される。「シリーズＬＩＤ」が「選択された医用画像の画像ＬＩＤに対応付けられているシリーズＬＩＤ」と同一であって「画像タイプ」が「１００」であるレコードが存在する場合には、ＣＰＵ１１により、当該レコードに対応する画像ＬＩＤ（処理画像の画像ＬＩＤ）が通信部１４を介してクライアント端末２０に送信される。
クライアント端末２０では、ＣＰＵ２１により、画像サーバー１０から、通信部２４を介して処理画像の画像ＬＩＤが取得されると、選択された医用画像に対応する処理画像が存在すると判断される。
【００５９】
一方、画像サーバー１０において、「シリーズＬＩＤ」が「選択された医用画像の画像ＬＩＤに対応付けられているシリーズＬＩＤ」と同一であって「画像タイプ」が「１００」であるレコードが存在しない場合には、ＣＰＵ１１により、選択された医用画像に対応する処理画像が存在しない旨の情報が通信部１４を介してクライアント端末２０に送信される。
クライアント端末２０では、ＣＰＵ２１により、画像サーバー１０から、通信部２４を介して選択された医用画像に対応する処理画像が存在しない旨の情報が取得されると、選択された医用画像に対応する処理画像が存在しないと判断される。
【００６０】
選択された医用画像に対応する処理画像が存在する場合（ステップＳ５；ＹＥＳ）、すなわち、選択された医用画像が元画像である場合には、ＣＰＵ２１により、操作部２２のマウス２２ａにおいて、マウスホイール２２ｄのＸ方向（図８参照）の回転が検出されたか否かが判断される（ステップＳ６）。マウスホイール２２ｄのＸ方向の回転が検出されない場合には（ステップＳ６；ＮＯ）、ステップＳ６に戻る。
【００６１】
ステップＳ６において、マウスホイール２２ｄのＸ方向の回転が検出された場合には（ステップＳ６；ＹＥＳ）、ＣＰＵ２１により、画像サーバー１０から取得された処理画像の画像ＬＩＤに基づいて、表示部２３に表示されている元画像に対応する処理画像が表示部２３に表示される（ステップＳ７）。
図１２に、図１１のビューアー画面２３１において表示されていた元画像に対応する処理画像が表示されたビューアー画面２３２の例を示す。ビューアー画面２３２の選択画像表示領域Ａ２には、処理画像が表示されている。
【００６２】
ここで、ＣＰＵ２１により、ユーザーによる操作部２２からの操作により、読影を終了する旨の指示が行われたか否かが判断される（ステップＳ８）。読影を終了する旨の指示が行われない場合には（ステップＳ８；ＮＯ）、ＣＰＵ２１により、操作部２２のマウス２２ａにおいて、マウスホイール２２ｄのＸ方向の回転が検出されたか否かが判断される（ステップＳ９）。マウスホイール２２ｄのＸ方向の回転が検出されない場合には（ステップＳ９；ＮＯ）、ステップＳ９に戻る。
【００６３】
ステップＳ９において、マウスホイール２２ｄのＸ方向の回転が検出された場合には（ステップＳ９；ＹＥＳ）、ＣＰＵ２１により、表示部２３に表示されている処理画像に対応する元画像が表示部２３に表示される（ステップＳ１０）。
【００６４】
具体的には、ＣＰＵ２１により、画像サーバー１０に対して、表示部２３に表示されている処理画像の画像ＬＩＤが通信部２４を介して送信される。
画像サーバー１０では、通信部１４により処理画像の画像ＬＩＤが受信されると、ＣＰＵ１１により、「シリーズＬＩＤ」が「処理画像の画像ＬＩＤに対応付けられているシリーズＬＩＤ」と同一であって「画像タイプ」が「Ｎｕｌｌ」であるレコードに対応する画像ＬＩＤ（元画像の画像ＬＩＤ）が画像情報テーブル１７４から取得され、取得された元画像の画像ＬＩＤが通信部１４を介してクライアント端末２０に送信される。
クライアント端末２０では、ＣＰＵ２１により、画像サーバー１０から、通信部２４を介して元画像の画像ＬＩＤが取得され、取得された画像ＬＩＤに基づいて、処理画像に対応する元画像が表示部２３に表示される。
【００６５】
ここで、ＣＰＵ２１により、ユーザーによる操作部２２からの操作により、読影を終了する旨の指示が行われたか否かが判断される（ステップＳ１１）。読影を終了する旨の指示が行われない場合には（ステップＳ１１；ＮＯ）、ステップＳ６に戻り、処理が繰り返される。
【００６６】
ステップＳ５において、選択された医用画像に対応する処理画像が存在しない場合（ステップＳ５；ＮＯ）、すなわち、選択された医用画像が元画像でない場合には、ＣＰＵ２１により、選択された医用画像が処理画像であるか否かが判断される（ステップＳ１２）。
【００６７】
具体的には、ＣＰＵ２１により、画像サーバー１０に対して、選択された医用画像に対応する画像ＬＩＤとともに、選択された医用画像が処理画像であるか否かの問い合わせが通信部２４を介して送信される。
画像サーバー１０では、通信部１４により選択された医用画像の画像ＬＩＤ、及び、選択された医用画像が処理画像であるか否かの問い合わせが受信されると、ＣＰＵ１１により、「選択された医用画像の画像ＬＩＤ」に対応する「画像タイプ」が画像情報テーブル１７４から取得され、取得された「画像タイプ」が通信部１４を介してクライアント端末２０に送信される。
クライアント端末２０では、ＣＰＵ２１により、画像サーバー１０から、通信部２４を介して選択された医用画像に対応する「画像タイプ」が取得され、取得された「画像タイプ」が「１００」であるか否かが判断される。ＣＰＵ２１により、「画像タイプ」が「１００」である場合には、選択された医用画像が処理画像であると判断され、「画像タイプ」が「１００」でない場合には、選択された医用画像が処理画像でないと判断される。
【００６８】
選択された医用画像が処理画像である場合には（ステップＳ１２；ＹＥＳ）、ステップＳ９に移行する。
【００６９】
ステップＳ１２において、選択された医用画像が処理画像でない場合には（ステップＳ１２；ＮＯ）、ＣＰＵ２１により、ユーザーによる操作部２２からの操作により、読影を終了する旨の指示が行われたか否かが判断される（ステップＳ１３）。読影を終了する旨の指示が行われない場合には（ステップＳ１３；ＮＯ）、ステップＳ１３に戻る。
【００７０】
ステップＳ８において、読影を終了する旨の指示が行われた場合（ステップＳ８；ＹＥＳ）、ステップＳ１１において、読影を終了する旨の指示が行われた場合（ステップＳ１１；ＹＥＳ）、又は、ステップＳ１３において、読影を終了する旨の指示が行われた場合には（ステップＳ１３；ＹＥＳ）、第１の医用画像表示処理が終了する。
【００７１】
以上説明したように、第１の実施の形態によれば、同じ操作によって元画像から処理画像へ、処理画像から元画像へと切り替えて表示させるので、処理画像と元画像とを交互に切り替えて表示する際の操作性を向上させることができる。
【００７２】
処理画像と元画像とを表示する場合には、２枚の画像の比較であることが決まっており、また、どちらの画像が処理画像であるか元画像であるかは、画像を見れば明らかであるため、マウスホイール２２ｄの一方向の回転という簡単な操作を繰り返すことで、２枚の画像を交互に表示させることができる。
【００７３】
なお、第１の実施の形態では、マウスホイール２２ｄのＸ方向の回転を、処理画像と元画像とを切り替えるための操作に割り当てる場合について説明したが、マウスホイール２２ｄのＸ方向と逆方向の回転、又は、キーボードのいずれか一のキーの押下を、処理画像と元画像とを切り替えるための操作に割り当てることとしてもよい。
【００７４】
［第２の実施の形態］
次に、本発明を適用した第２の実施の形態について説明する。
第２の実施の形態における医用画像システムは、第１の実施の形態に示した医用画像システム１００と同様の構成によってなるため、図１〜図８を援用し、その構成については図示及び説明を省略する。以下、第２の実施の形態に特徴的な構成及び処理について説明する。
【００７５】
第２の実施の形態では、マウスホイール２２ｄの回転操作に対して、複数の機能が割り当てられている場合について説明する。第２の実施の形態では、マウスホイール２２ｄの回転操作によって、処理画像と元画像とを切り替える機能と、マウスホイール２２ｄの回転操作によって、医用画像を拡大又は縮小する機能と、が切り替え可能となっている。
【００７６】
図１３及び図１０は、クライアント端末２０において実行される第２の医用画像表示処理を示すフローチャートである。この処理は、ＣＰＵ２１とＲＯＭ２５に記憶されているプログラムとの協働によるソフトウェア処理によって実現される。
【００７７】
ステップＳ２１〜ステップＳ２４の処理は、第１の医用画像表示処理（図９参照）におけるステップＳ１〜ステップＳ４の処理と同様であるため、説明を省略する。
【００７８】
ステップＳ２４の後、ＣＰＵ２１により、拡大／縮小モードがＯＮであるか否かが判断される（ステップＳ２５）。拡大／縮小モードがＯＮの場合には、マウスホイール２２ｄの回転操作に対して、医用画像を拡大又は縮小する機能が割り当てられる。
【００７９】
図１４に、拡大／縮小モードがＯＦＦの場合のビューアー画面２３３の例を示す。ビューアー画面２３３では、機能選択領域Ａ３において、拡大／縮小モードボタンＢ１が押下されていない。
図１５に、拡大／縮小モードがＯＮの場合のビューアー画面２３４の例を示す。ビューアー画面２３４では、機能選択領域Ａ３において、拡大／縮小モードボタンＢ１が押下されている。
【００８０】
拡大／縮小モードがＯＮでない場合には（ステップＳ２５；ＮＯ）、図１０のステップＳ５に移行する。ステップＳ５以降の処理は、第１の医用画像表示処理において説明した処理と同様である。
【００８１】
ステップＳ２５において、拡大／縮小モードがＯＮである場合には（ステップＳ２５；ＹＥＳ）、ＣＰＵ２１により、操作部２２のマウス２２ａにおいて、マウスホイール２２ｄのＸ方向（図８参照）の回転が検出されたか否かが判断される（ステップＳ２６）。マウスホイール２２ｄのＸ方向の回転が検出された場合には（ステップＳ２６；ＹＥＳ）、ＣＰＵ２１により、選択された医用画像が縮小されて、表示部２３に表示される（ステップＳ２７）。
【００８２】
ステップＳ２７の後、又は、ステップＳ２６において、マウスホイール２２ｄのＸ方向の回転が検出されない場合には（ステップＳ２６；ＮＯ）、ＣＰＵ２１により、操作部２２のマウス２２ａにおいて、マウスホイール２２ｄのＸ方向と逆方向の回転が検出されたか否かが判断される（ステップＳ２８）。マウスホイール２２ｄのＸ方向と逆方向の回転が検出された場合には（ステップＳ２８；ＹＥＳ）、ＣＰＵ２１により、選択された医用画像が拡大されて、表示部２３に表示される（ステップＳ２９）。
【００８３】
ステップＳ２９の後、又は、ステップＳ２８において、マウスホイール２２ｄのＸ方向と逆方向の回転が検出されない場合には（ステップＳ２８；ＮＯ）、ＣＰＵ２１により、ユーザーによる操作部２２からの操作により、読影を終了する旨の指示が行われたか否かが判断される（ステップＳ３０）。読影を終了する旨の指示が行われない場合には（ステップＳ３０；ＮＯ）、ステップＳ２６に戻り、処理が繰り返される。
【００８４】
ステップＳ３０において、読影を終了する旨の指示が行われた場合には（ステップＳ３０；ＹＥＳ）、第２の医用画像表示処理が終了する。
【００８５】
なお、拡大／縮小モードがＯＮの場合においても、操作部２２の操作により、図１５に示すつまみＣ１を上下に移動させることで、元画像と処理画像との表示の切り替えが可能となっている。元画像と処理画像とは２枚１組なので、図１５に示すように、選択画像表示領域Ａ２に元画像が表示された状態で、つまみＣ１の位置でマウスダウンし、そのままスクロール領域Ｃ２を下に移動させていくと、スクロール領域Ｃ２の真ん中より下に移動したところでつまみＣ１の位置がスクロール領域Ｃ２の最下部へ移動し、選択画像表示領域Ａ２に表示される画像が処理画像に切り替わる。また、選択画像表示領域Ａ２に処理画像が表示された状態で、つまみＣ１の位置でマウスダウンし、そのままスクロール領域Ｃ２を上に移動させていくと、スクロール領域Ｃ２の真ん中より上に移動したところでつまみＣ１の位置がスクロール領域Ｃ２の最上部へ移動し、選択画像表示領域Ａ２に表示される画像が元画像に切り替わる。
また、選択画像表示領域Ａ２に元画像が表示された状態で、つまみＣ１以外のスクロール領域Ｃ２をクリックすると、つまみＣ１が最下部へ移動し、処理画像が表示され、再度スクロール領域Ｃ２をクリックすると、つまみＣ１が最上部へ移動し、元画像が表示されることとしてもよい。
【００８６】
以上説明したように、第２の実施の形態によれば、マウスホイール２２ｄの回転を、処理画像と元画像とを切り替えるための操作、又は、医用画像に対する拡大／縮小を指示するための操作のいずれかに割り当てることができる。
【００８７】
なお、第２の実施の形態では、拡大／縮小モードがＯＦＦである場合に、マウスホイール２２ｄの一方向の回転を、処理画像と元画像とを切り替えるための操作に割り当てる場合について説明したが、キーボードのいずれか一のキーの押下を、処理画像と元画像とを切り替えるための操作に割り当てることとしてもよい。
【００８８】
［第３の実施の形態］
次に、本発明を適用した第３の実施の形態について説明する。
第３の実施の形態における医用画像システムは、第１の実施の形態に示した医用画像システム１００と同様の構成によってなるため、図１〜図７を援用し、その構成については図示及び説明を省略する。以下、第３の実施の形態に特徴的な構成及び処理について説明する。
【００８９】
ＣＰＵ２１は、表示部２３に元画像が表示された状態で所定の時間が経過した場合に、表示部２３の表示を処理画像に切り替え、表示部２３に処理画像が表示された状態で所定の時間が経過した場合に、表示部２３の表示を元画像に切り替える。
【００９０】
図１６及び図１７は、クライアント端末２０において実行される第３の医用画像表示処理を示すフローチャートである。この処理は、ＣＰＵ２１とＲＯＭ２５に記憶されているプログラムとの協働によるソフトウェア処理によって実現される。
【００９１】
ステップＳ３１〜ステップＳ３４の処理は、第１の医用画像表示処理（図９参照）におけるステップＳ１〜ステップＳ４の処理と同様であるため、説明を省略する。ステップＳ３４において、選択された医用画像が表示部２３に表示され始めた段階で、計時部２８により、新たな経過時間のカウントが開始される。
【００９２】
ステップＳ３４の後、図１７に移り、ＣＰＵ２１により、ユーザーによる操作部２２からの操作により、表示部２３に表示されているビューアー画面上のローテーションボタン（図示せず）が押下されたか否かが判断される（ステップＳ３５）。ローテーションボタンは、元画像と処理画像との表示を所定の時間間隔で自動的に切り替えることを指示するためのボタンである。ローテーションボタンが押下された場合には（ステップＳ３５；ＹＥＳ）、ＣＰＵ２１により、選択された医用画像に対応する処理画像が存在するか否か、すなわち、選択された医用画像が元画像であるか否かが判断される（ステップＳ３６）。判断の詳細については、第１の医用画像表示処理（図１０参照）におけるステップＳ５の処理と同様である。
【００９３】
選択された医用画像に対応する処理画像が存在する場合（ステップＳ３６；ＹＥＳ）、すなわち、選択された医用画像が元画像である場合には、ＣＰＵ２１により、計時部２８から経過時間が取得され、表示部２３における表示が元画像に切り替わってから所定時間が経過したか否かが判断される（ステップＳ３７）。元画像に切り替わってから所定時間が経過していない場合には（ステップＳ３７；ＮＯ）、ステップＳ３７に戻る。
【００９４】
ステップＳ３７において、元画像に切り替わってから所定時間が経過した場合には（ステップＳ３７；ＹＥＳ）、ＣＰＵ２１により、表示部２３に表示されている元画像に対応する処理画像が表示部２３に表示される（ステップＳ３８）。処理画像が表示部２３に表示され始めた段階で、計時部２８により、新たな経過時間のカウントが開始される。
【００９５】
ここで、ＣＰＵ２１により、ユーザーによる操作部２２からの操作により、読影を終了する旨の指示が行われたか否かが判断される（ステップＳ３９）。読影を終了する旨の指示が行われない場合には（ステップＳ３９；ＮＯ）、ＣＰＵ２１により、計時部２８から経過時間が取得され、表示部２３における表示が処理画像に切り替わってから所定時間が経過したか否かが判断される（ステップＳ４０）。処理画像に切り替わってから所定時間が経過していない場合には（ステップＳ４０；ＮＯ）、ステップＳ４０に戻る。
【００９６】
ステップＳ４０において、処理画像に切り替わってから所定時間が経過した場合には（ステップＳ４０；ＹＥＳ）、ＣＰＵ２１により、表示部２３に表示されている処理画像に対応する元画像が表示部２３に表示される（ステップＳ４１）。元画像が表示部２３に表示され始めた段階で、計時部２８により、新たな経過時間のカウントが開始される。
【００９７】
ここで、ＣＰＵ２１により、ユーザーによる操作部２２からの操作により、読影を終了する旨の指示が行われたか否かが判断される（ステップＳ４２）。読影を終了する旨の指示が行われない場合には（ステップＳ４２；ＮＯ）、ステップＳ３７に戻り、処理が繰り返される。
【００９８】
ステップＳ３６において、選択された医用画像に対応する処理画像が存在しない場合（ステップＳ３６；ＮＯ）、すなわち、選択された医用画像が元画像でない場合には、ＣＰＵ２１により、選択された医用画像が処理画像であるか否かが判断される（ステップＳ４３）。判断の詳細については、第１の医用画像表示処理（図１０参照）におけるステップＳ１２の処理と同様である。
【００９９】
選択された医用画像が処理画像である場合には（ステップＳ４３；ＹＥＳ）、ステップＳ４０に移行する。
【０１００】
ステップＳ３５において、ローテーションボタンが押下されない場合（ステップＳ３５；ＮＯ）、又は、ステップＳ４３において、選択された医用画像が処理画像でない場合には（ステップＳ４３；ＮＯ）、ＣＰＵ２１により、ユーザーによる操作部２２からの操作により、読影を終了する旨の指示が行われたか否かが判断される（ステップＳ４４）。読影を終了する旨の指示が行われない場合には（ステップＳ４４；ＮＯ）、ステップＳ４４に戻る。
【０１０１】
ステップＳ３９において、読影を終了する旨の指示が行われた場合（ステップＳ３９；ＹＥＳ）、ステップＳ４２において、読影を終了する旨の指示が行われた場合（ステップＳ４２；ＹＥＳ）、又は、ステップＳ４４において、読影を終了する旨の指示が行われた場合には（ステップＳ４４；ＹＥＳ）、第３の医用画像表示処理が終了する。
【０１０２】
以上説明したように、第３の実施の形態によれば、所定時間毎に、元画像から処理画像へ、処理画像から元画像へと切り替えて表示させるので、処理画像と元画像とを交互に切り替えて表示する際の操作性を向上させることができる。
【０１０３】
なお、上記各実施の形態における記述は、本発明に係る画像表示装置の例であり、これに限定されるものではない。装置を構成する各部の細部構成及び細部動作に関しても本発明の趣旨を逸脱することのない範囲で適宜変更可能である。
【０１０４】
以上の説明では、各処理を実行するためのプログラムを格納したコンピューター読み取り可能な媒体としてＲＯＭを使用した例を開示したが、この例に限定されない。その他のコンピューター読み取り可能な媒体として、フラッシュメモリー等の不揮発性メモリー、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１０５】
１０  画像サーバー
１１  ＣＰＵ
１４  通信部
１５  ＲＯＭ
１７  記憶部
２０  クライアント端末
２１  ＣＰＵ
２２  操作部
２２ａ  マウス
２２ｄ  マウスホイール
２３  表示部
２４  通信部
２５  ＲＯＭ
２７  記憶部
２８  計時部
３０  モダリティー
１００  医用画像システム
１７１  患者情報テーブル
１７２  検査情報テーブル
１７３  シリーズ情報テーブル
１７４  画像情報テーブル
２３１  ビューアー画面
２３２  ビューアー画面
２３３  ビューアー画面
２３４  ビューアー画面
Ａ２  選択画像表示領域
Ｎ  通信ネットワーク
【図１】
2015100426.tif 000003
【図２】
2015100426.tif 000004
【図３】
2015100426.tif 000005
【図４】
2015100426.tif 000006
【図５】
2015100426.tif 000007
【図６】
2015100426.tif 000008
【図７】
2015100426.tif 000009
【図８】
2015100426.tif 000010
【図９】
2015100426.tif 000011
【図１０】
2015100426.tif 000012
【図１１】
2015100426.tif 000013
【図１２】
2015100426.tif 000014
【図１３】
2015100426.tif 000015
【図１４】
2015100426.tif 000016
【図１５】
2015100426.tif 000017
【図１６】
2015100426.tif 000018
【図１７】
2015100426.tif 000019